(57)【要約】【課題】養生中における種子の環境における保湿性や保温性の環境を確保する。  【解決手段】ベース部２上に、少なくとも発芽前の野芝の種子７を重ね、その上面にセルロースからなる不織布６を介し有孔なプラスチックフィルム４を積み重ねて、全体を一体化してなる。不織布６によって養生中の保湿性や保温性を高く確保でき、またプラスチックフィルム４が万一敗れても不織布６によって種子７を保護することができる。セルロースからなる不織布６はバクテリアにより分解され、土に還元されるので自然に分解して残留物を残すことはない。【選択図】図１
2010183856.tif 000002
【特許請求の範囲】
【請求項１】
紙からなるベース部上に、少なくとも発芽前の野芝の種子を重ね、その上にセルロースからなる不織布を介して有孔なプラスチックフィルムを重ねて、全体を一体化してなることを特徴とする植生マット。
【発明の詳細な説明】
【技術分野】
【０００１】
本発明は、野芝の植生マットに関するものである。
【背景技術】
【０００２】
従来、この種のものとして紙で形成したベース部上に、少なくとも発芽前の野芝の種子を重ね、その上に保水又は及び保湿部材を介在して有孔なプラスチックフィルムを重ね、全体を一体化してなり、前記プラスチックフィルムはポリエチレン製であって、種子が風雨で飛ばされたり地面の傾斜によって流出するようなことはなく、所望箇所に比較的容易に発芽させて植生させることができ、種子はプラスチックフィルムに覆われるので保護されて養生できると共に、外気温に直接影響を受けずに済むことができるものが知られている（例えば特許文献１）。
【先行技術文献】
【特許文献】
【０００３】
【特許文献１】特開２００７−５６号公報
【発明の概要】
【発明が解決しようとする課題】
【０００４】
従来技術においては、種子とプラスチックフィルムの間に介在する保水又は及び保湿部材は紙によって形成されていたので、保水又は及び保湿部材性に限界があった。また、プラスチックフィルムが万一は存した場合には、種子が風雨で飛ばされてしまうというおそれがあった。
【０００５】
解決しようとする問題点は、紙で形成したベース部上に、少なくとも発芽前の野芝の種子を重ね、その上面にプラスチックフィルムを重ねて、全体を一体化してなる植生マットにおいて、保水又は及び保湿部材性を向上でき、さらにプラスチックフィルムが万一破損しても種子が風雨で飛ばされにくいようにする点である。
【課題を解決するための手段】
【０００６】
前記目的を達成するために、請求項１の発明は、紙からなるベース部上に、少なくとも発芽前の野芝の種子を重ね、その上面にセルロースからなる不織布を介して有孔なプラスチックフィルムを重ねて、全体を一体化してなることを特徴とする植生マットである。
【発明の効果】
【０００７】
請求項１の発明によれば、セルロースからなる不織布によって保水又は及び保湿部材性を向上でき、さらに万一プラスチックフィルムが万一破損しても種子を保護できる。
【図面の簡単な説明】
【０００８】
【図１】本発明の実施例１を示す一部を拡大した斜視図である。
【図２】同設置時の一部を拡大した断面図である。
【図３】同設置後の一部を拡大した断面図である。
【発明を実施するための形態】
【０００９】
本発明における好適な実施の形態について、添付図面を参照して説明する。尚、以下に説明する実施の形態は、特許請求の範囲に記載された本発明の内容を限定するものではない。また、以下に説明される構成の全てが、本発明の必須要件であるとは限らない。
【実施例１】
【００１０】
図１〜図３は実施例１を示しており、植生マット１は紙製のベース部２と、このベース部２に載置する植生部層３と、この植生部層３に載置する有孔なプラスチックフィルム４を積層し、全体を糸５で縫合したもので、全体の大きさは幅０．９〜１×長さ１〜１０ｍ程度の大きさに形成したものである。そして、植生部層３とプラスチックフィルム４との間には保水又は及び保湿部材としての第２の紙２Ａと、セルロースからなる不織布６が介在している。
【００１１】
前記紙製のベース部２は、例えば透ける程度の密度を備えた紙であり、このベース部２上の植生部層３には発芽前の野芝の種子７を、肥料８、さらには保水又は及び保湿剤９と共に混合し、この植生部層３をベース部２に積層している。前記プラスチックフィルム４はポリエチレン製であって、厚みが２０〜４０μｍ程度、好ましくは３０μｍ±４.８μｍであって、５〜３０ｍｍ程度、好ましくは１６〜２０ｍｍ程度の間隔Ｌをおいて、幅（直径）Ｗが０.５〜２ｍｍ程度、好ましくは１〜１.３ｍｍの孔10を上下方向に貫通して形成している。さらに、前記保水又は及び保湿部材としての第２の紙２Ａは透ける程度の密度を備えている。そして、種子７は上下に重ならないで、均等に並べると少なくとも種子７の長さ（例えば５ｍｍ）以上の間隔を保つことができるように配置されている。
【００１２】
また、前記セルロースからなる不織布６は、実綿から綿花を取り去った種子の根元に生えている短い繊維であるコットンリンターを原料として長繊維状に吐出しながら成形するセルロース１００％のスパンボンド法によるノーバインダーであり、孔６Ａを上下方向に貫通して形成しているネット形状に形成されている。
【００１３】
次に製造方法について説明する。まず種子７を予め例えば硝酸液のような酸性液に浸漬して種子の表面にあるろう質の被膜を除去する。そして、所定の大きさに切断した紙製のベース部２の上に、被膜を除去した種子７、肥料８、保水又は及び保湿剤９の混合物をほぼ均一に積み重ねる。さらにこの混合物に第２の紙２Ａを重ね、さらにこの第２の紙２Ａ、さらには不織布６を重ねて、プラスチックフィルム４を重ねた後、これらベース部２、第２の紙、不織布６、そしてプラスチックフィルム４により種子７などを挟んだ状態で縫合して一体的となるようにする。このように一体化されたシート状の植生マット１は、幅Ｘが１ｍ程度で長さＹが１０ｍ程度となって巻き取られて保管される。
【００１４】
次に前記構成についてその作用を説明する。図２に示すように法面及び平面などの地面11に植生マット１を敷き、そして植生マット１の上方から杭12を打ち込んで風により飛ばされないように固定する。このように設置された植生マット１においては、例えば積算温度が３００〜４００℃になると発芽を行い、根はベース部２を介して地面11に根付き、一方芽は第２の紙２Ａや不織布６を通ってプラスチックフィルム４の下面に至る。このような発芽の際に、孔10から第２の紙２Ａや不織布６の僅かな隙間を通って種子に空気が矢印Ａのように供給される。一方、水分は人工的な散水や自然雨によって供給される。この水分供給は孔10から第２の紙２Ａや不織布６の僅かな隙間を通って矢印Ａと同様に供給される。その水分は太陽熱によって蒸発したとしても、その一部は矢印Ａと逆方向に第２の紙２Ａや不織布６の僅かな隙間、孔10を通って大気に放出されるが、地表から奪われるほとんどの水分Ｍを第２の紙２Ａに吸収されたりしてプラスチックフィルム４の内側に保存し、水不足対策をなす。このようにほとんどの水分Ｍは、プラスチックフィルム４の内側に溜まって大気に放出されない。この結果プラスチックフィルム４の下方、すなわち種子７の周囲においては適度な湿度、さらには温度が保たれて発芽後に寄与し、種子の育成を良好に行うことができる。
【００１５】
このように野芝が発芽して根付きした後には、図３に示すようにベース部２や第２の紙２Ａは自然に溶けて地面11と一体化して自然に戻る。このような地面11側とプラスチックフィルム４との間に野芝の茎、葉が育成される。この際においても、日中太陽光で地表から奪われる水分をプラスチックフィルム４の内側に水滴として水分Ｍが保存され、水不足対策をなす。そして、例えば野芝の葉が例えば４〜６枚程度になった段階でプラスチックフィルム４を杭12と共に取り除いて芝をあらわしてさらに育成するものである。
【００１６】
以上のように前記実施例では、以上のように前記実施例では、紙からなるベース部２上に、少なくとも発芽前の野芝の種子７を重ね、その上面にセルロースからなる不織布６を介して有孔なプラスチックフィルム４を重ねて、全体を一体化してなることで次の効果を奏する。
【００１７】
セルロースからなる不織布６はバクテリアにより分解され、土に還元されるので自然に分解して残留物を残すことはない。
【００１８】
また、前記糊や樹脂を使用していない不織布６にあっては、自重の約１５倍程度の吸水性、保水性を発揮でき、乾燥を防ぐことができる。
【００１９】
また、不織布６を利用することで昼間の強い太陽光線をやわらげ、一方夜間は保温の役目を果たすことができる。
【００２０】
また、不織布６にあっては比較的強度が弱く、このため野芝の茎や葉が伸びて不織布６と当たってしまっても茎や葉が不織布６を貫通することも可能であり、芝の生長を損なうことはない。
【００２１】
さらに、不織布６では伸縮性が比較的大きいので工事の際に伸ばしなら張設して施工するともできる。
【産業上の利用可能性】
【００２２】
以上のように本発明に係る野芝の植生マットは、各種学校のグランドの芝生化、芝生緑地、ゴルフ場、或いは個人宅の庭園などの種々の用途に適用できる。
【符号の説明】
【００２３】
２  ベース部
４  プラスチックフィルム
６  不織布
７  種子
【図１】
2010183856.tif 000003
【図２】
2010183856.tif 000004
【図３】
2010183856.tif 000005